(57)【要約】【課題】画面分割表示数、及び子画面に表示可能とする信号切換装置内部信号の数が増えても回路規模の増大を抑制して多画面分割表示ができるようにする。【解決手段】  信号処理部１２３は、入力信号変換部１２１により入力された複数の映像信号に対し、信号処理を施す。複数のサブ多画面分割表示信号生成部１６４は、信号処理が施された複数の映像信号、及び信号処理を施している途中に生成される１以上の映像信号である中間生成信号の中から、Ｐ種類（Ｐは２以上の整数値）の映像信号を選択し合成することにより、１以上のサブ多画面分割表示信号を生成する。メイン多画面分割表示信号生成部２０２は、生成された１以上のサブ多画面分割表示信号のうちＱ種類（Ｑは１以上の整数値）のサブ多画面分割表示信号を選択し合成することにより、多画面分割表示信号を生成する。本発明は、ミックスエフェクト処理部を備えた信号処理装置に適用することができる。【選択図】図４
2012049848.tif 000002
【特許請求の範囲】
【請求項１】
複数の映像信号を入力する入力手段と、
前記入力手段に入力された前記複数の映像信号に対して、信号処理を施す信号処理手段と、
前記信号処理手段により前記信号処理が施された前記複数の映像信号、及び、前記信号処理手段が前記信号処理を施している途中に生成される１以上の映像信号である中間生成信号の中から、Ｐ種類（Ｐは２以上の整数値）の映像信号を選択して合成することによって、サブ多画面分割表示信号を生成する、１以上のサブ多画面分割表示信号生成手段と、
１以上の前記サブ多画面分割表示信号生成手段の各々により生成された１以上のサブ多画面分割表示信号のうち、Ｑ種類（Ｑは１以上の整数値）のサブ多画面分割表示信号を選択して合成することによって、多画面分割表示信号を生成する多画面分割表示信号生成手段と
を備える信号処理装置。
【請求項２】
前記サブ多画面分割表示信号生成手段は、前記信号処理手段の構成要素である
請求項１の信号切換装置。
【請求項３】
前記信号処理手段は、前記信号処理として、前記入力手段に入力された複数の前記映像信号に対してエフェクトを付加してミックスするミックスエフェクト処理を施す、１以上のミックスエフェクト処理手段を備え、
前記１以上のミックスエフェクト処理手段のそれぞれの構成要素として、前記サブ多画面分割表示信号生成手段が設けられており、
前記サブ多画面分割表示信号生成手段は、前記ミックスエフェクト処理手段により前記ミックスエフェクト処理が施された前記複数の映像信号、及び、前記ミックスエフェクト処理手段が前記ミックスエフェクト処理を施している途中に生成される１以上の映像信号である中間生成信号の中から、Ｐ種類の映像信号を選択して合成することによって、前記サブ多画面分割表示信号を生成する
請求項２に記載の信号処理装置。
【請求項４】
前記信号処理手段は、前記信号処理として、前記入力手段に入力された複数の前記映像信号、並びに、前記信号処理手段から出力される前記信号処理が施された前記複数の映像信号、前記中間生成信号、及び前記サブ多画面分割表示信号のうち、少なくとも一部の映像信号を記憶するフレームメモリを備え、
前記フレームメモリの構成要素として、前記サブ多画面分割表示信号生成手段が設けられており、
前記サブ多画面分割表示信号生成手段は、前記フレームメモリにより記憶された映像信号の中から、Ｐ種類の映像信号を選択して合成することによって、前記サブ多画面分割表示信号を生成する
請求項２に記載の信号処理装置。
【請求項５】
前記信号処理手段は、前記信号処理として、前記入力手段に入力された複数の前記映像信号、並びに、前記信号処理手段から出力される前記信号処理が施された前記複数の映像信号、前記中間生成信号、及び前記サブ多画面分割表示信号のうち、少なくとも一部の映像信号に対して特殊効果処理を施す特殊効果処理手段を備え、
前記特殊効果処理手段の構成要素として、前記サブ多画面分割表示信号生成手段が設けられており、
前記サブ多画面分割表示信号生成手段は、前記特殊効果処理手段により前記特殊効果処理が施された前記映像信号、及び、前記特殊効果処理手段が前記特殊効果処理を施している途中に生成される１以上の映像信号である中間生成信号の中から、Ｐ種類の映像信号を選択して合成することによって、前記サブ多画面分割表示信号を生成する
請求項２に記載の信号処理装置。
【請求項６】
前記信号処理手段は、前記信号処理として、前記入力手段に入力された複数の前記映像信号、並びに、前記信号処理手段から出力される前記信号処理が施された前記複数の映像信号、前記中間生成信号、及び前記サブ多画面分割表示信号のうち、少なくとも一部の映像信号を、３次元画像表示のための映像信号に変換する３次元効果処理を実行する３次元効果処理手段を備え、
前記３次元効果処理手段の構成要素として、前記サブ多画面分割表示信号生成手段が設けられており、
前記サブ多画面分割表示信号生成手段は、前記３次元効果処理手段により前記３次元効果処理が施された前記映像信号、及び、前記３次元効果処理手段が前記３次元効果処理を施している途中に生成される１以上の映像信号である中間生成信号の中から、Ｐ種類の映像信号を選択して合成することによって、前記サブ多画面分割表示信号を生成する
請求項２に記載の信号処理装置。
【請求項７】
複数の映像信号を入力する入力ステップと、
前記入力ステップの処理により入力された前記複数の映像信号に対して、信号処理を施す信号処理ステップと、
前記信号処理ステップの処理により前記信号処理が施された前記複数の映像信号、及び、前記信号処理ステップにより前記信号処理を施している途中に生成される１以上の映像信号である中間生成信号の中から、Ｐ種類（Ｐは２以上の整数値）の映像信号を選択して合成することによって、サブ多画面分割表示信号を生成する、１以上のサブ多画面分割表示信号生成ステップと、
１以上の前記サブ多画面分割表示信号生成ステップの処理の各々により生成された１以上のサブ多画面分割表示信号のうち、Ｑ種類（Ｑは１以上の整数値）のサブ多画面分割表示信号を選択して合成することによって、多画面分割表示信号を生成する多画面分割表示信号生成ステップと
を含む信号処理方法。
【請求項８】
複数の映像信号を入力し、
入力された前記複数の映像信号に対して、信号処理を施し、
前記信号処理が施された前記複数の映像信号、及び、前記信号処理を施している途中に生成される１以上の映像信号である中間生成信号の中から、Ｐ種類（Ｐは２以上の整数値）の映像信号を選択して合成することによって、サブ多画面分割表示信号を生成し、
生成された１以上のサブ多画面分割表示信号のうち、Ｑ種類（Ｑは１以上の整数値）のサブ多画面分割表示信号を選択して合成することによって、多画面分割表示信号を生成する
ステップを含む制御処理をコンピュータに実行させるプログラム。
【発明の詳細な説明】
【技術分野】
【０００１】
本発明は、信号処理装置及び方法、並びにプログラムに関し、特に、画面分割表示数、及び子画面に表示可能とする信号切換装置内部信号の数が増えても回路規模の増大を抑制して多画面分割表示を実現可能にする、信号処理装置及び方法、並びにプログラムに関する。
【背景技術】
【０００２】
従来、入力された、または内部で生成した複数の信号の中から、出力対象の信号を選択的に切り換える装置（以下、信号切換装置と称する）が、各種分野で利用されている（例えば、特許文献１参照）。
【０００３】
例えば、放送局や番組制作会社によって番組が制作される場合、その番組の制作者が映像を編集したり確認するために、信号切換装置が用いられている。なお、このような信号切換装置を、以下、特に、番組制作用の信号切換装置と称する。すなわち、番組制作用の信号切換装置は、入力される映像信号、自己または他装置によって編集された映像信号、編集中に生成される各種映像信号（以下、中間生成信号と称する）等、複数の映像信号の中から、出力対象の複数の映像信号を選択的に切り換える。
【０００４】
従来、番組制作用の信号切換装置は、出力対象の複数の映像信号を、そのままの形態で外部に出力していた。即ち、従来の放送局や番組制作会社は、出力対象の複数の映像信号を、そのままの形態で取り扱っていた。しかしながら、近年、番組制作システムの小型化等に伴い、放送局や番組制作会社から、出力対象の複数の映像信号の各々に対応する複数の映像を、同一画面に一括して分割表示するための映像信号を取り扱いたいという要望が生じてきた。ここで、複数の映像を同一画面に一括して分割表示することを、以下、多画面分割表示と称する。また、多画面分割表示を実現する映像信号を、以下、多画面分割表示信号と称する。そこで、多画面分割表示信号の出力機能を備えた、番組制作用の信号切換装置の提供が望まれている。
【０００５】
ここで、画面とは、装置が有する表示部または表示装置の表示領域全体をいう。多画面分割表示が行われる画面全体、すなわち表示領域全体のうち、複数の映像の各々が表示される部分的な表示領域を、以下、子画面と称する。すなわち、多画面分割表示においては、１つの画面が、複数の映像の各々を表示する複数の子画面に分割される。
【０００６】
具体的には例えば、番組の製作過程で多画面分割表示が行われる場合、画面は、編集者の確認作業に必要な各種各様の映像をそれぞれ表示する子画面に分割される。すなわち、番組制作用の信号切換装置は、複数の映像信号の中から、このような多画面分割表示の対象になる複数の映像信号を適宜切り換えて、切り換えた複数の映像信号に基づいて多画面分割表示信号を生成して出力する。
【先行技術文献】
【特許文献】
【０００７】
【特許文献１】特開２０００−２３０３３号公報
【発明の概要】
【発明が解決しようとする課題】
【０００８】
しかしながら、子画面の総数（以下、画面分割表示数とも称する）や、選択的に切り換えられる元の映像信号の総数を増やして多画面分割表示をしたいという要望が存在するところ、番組制作用の従来の信号切換装置では、当該要望に充分に応えることができない。信号数や、多画面分割表示を実現するための回路規模が増大するため、現実的でないからである。以下、このことについて、図１を適宜参照しつつ、具体的に説明する。
【０００９】
[従来の信号切換装置]
図１は、番組制作用の従来の信号切換装置１の構成例を示すブロック図である。
【００１０】
図１に示されるように、従来の信号切換装置１は、入力信号変換部２１、切換処理部２２、信号処理部２３、出力部２４、出力信号変換部２５−１、及び出力信号変換部２５−２から構成されている。
【００１１】
入力信号変換部２１は、外部から入力された映像信号を、信号切換装置１の機器内で取り扱うことが可能な形態の信号（以下、機器内信号と称する）に変換して、切換処理部２２に出力する。
【００１２】
切換処理部２２は、入力信号変換部２１から入力された機器内信号、または信号処理部２３から再入力された機器内信号を、選択的に切り換えて、所定の出力先に出力する。出力先としては、図１の例では、信号処理部２３、及び出力部２４が存在する。すなわち、切換処理部２２から出力された機器内信号は、信号処理部２３または出力部２４に入力される。
【００１３】
信号処理部２３は、切換処理部２２から入力される機器内信号に対して各種の信号処理を施す。信号処理部２３により信号処理が施された機器内信号は、信号処理部２３から出力されて切換処理部２２に再入力される。なお、切換処理部２２から信号処理部２３に入力された機器内信号が信号処理部２３で信号処理を施され、切換処理部２２に再入力される一連の処理は、複数回連続して実行される場合もある。
【００１４】
信号処理部２３は、このような各種信号処理を実行すべくミックスエフェクト処理部４１−１乃至４１−４を含むように構成されている。
【００１５】
なお、図１においては、信号処理部２３内には、ミックスエフェクト処理部４１−1乃至４１−４しか図示されていないが、その他の各種信号処理を行う各種構成要素が存在し得る。例えば、フレームメモリ、モザイク処理等の特殊効果を施す特殊効果処理部、２次元画像を３次元画像に変換する効果処理を施す３次元効果処理部等の構成要素が、信号処理部２３内に適宜設けられる。
【００１６】
なお、以下、ミックスエフェクト処理部４１−１乃至４１−４を個々に区別する必要がない場合、これらをまとめてミックスエフェクト処理部４１と称する。
【００１７】
ミックスエフェクト処理部４１は、切換処理部２２から入力される機器内信号としての２以上の映像をミックスしたり、映像にワイプ切換処理、キー処理等の各種エフェクトを付加してミックスする信号処理（以下、ミックスエフェクト処理と称する）を施す。ミックスエフェクト処理部４１がミックスエフェクト処理を実行している最中には、複数の中間生成信号が生成される。そして、ミックスエフェクト処理部４１は、ミックスエフェクト処理を全て施した最終形態の映像信号の他、これら複数の中間生成信号も併せて出力する。
【００１８】
[ミックスエフェクト処理部４１によって出力される各信号]
図２は、このようにしてミックスエフェクト処理部４１から出力される各映像信号の例を説明する図である。
【００１９】
図２の例では、PGM（Program）、PVW（Preview）、CLEAN、及びKPVW（Key Preview）の各映像信号がミックスエフェクト処理部４１から出力される。
【００２０】
すなわち、ミックスエフェクト処理部４１は、シーンを切り換えながら１以上のオブジェクトを選択的に重畳させていく映像を、最終的に放送される番組の映像として、２つのシーンの映像信号に対してミックスエフェクト処理を施す。
【００２１】
一定時間かけて、切り換え前後の２つのシーンを画面内で分割合成しながら徐々にシーンを切り換えていく処理が、ワイプ切換処理と称されている。このようなワイプ切換処理が施された後の映像が、映像CLEANと称されている。また、複数のオブジェクトの中から、選択した１以上のオブジェクトを映像に切り抜き合成する処理が、キー（key）処理と称されている。キー処理で選択対象となる全てのオブジェクトが映像CLEANに切り抜き合成された場合に得られる映像が、映像KPVWと称されている。
【００２２】
ただし、最終的に放送される番組の映像は、上述したように、全てのオブジェクトではなく、キー処理により選択された１以上のオブジェクト（結果として、キー処理により全オブジェクトが選択される場合もあり得る）が映像CLEANに切り抜き合成された映像である。このような最終的に放送される番組のうち一定期間の映像信号、例えばワイプ切換処理の期間分の映像信号は、ほぼ同時期にミックスエフェクト処理部４１により生成される。このようにしてミックスエフェクト処理部４１により生成された映像信号に対応する番組の映像のうち、表示対象の映像が映像PGMと称されており、ワイプ切換処理後の次の映像が映像PVWと称されている。
【００２３】
図１の例では、４つのミックスエフェクト処理部４１−１乃至４１−４のそれぞれは、PGM、PVW、CLEAN、及びKPVWの各映像信号、すなわち４種類の映像信号を出力して、切換処理部２２に再入力させる。すなわち、これらの４種類の映像信号を１組とすると、４つのミックスエフェクト処理部４１−１乃至４１−４毎に１組の映像信号がそれぞれ出力されるので、全体として、合計１６種類の映像信号が４つのミックスエフェクト処理部４１−１乃至４１−４から出力されて、切換処理部２２に再入力される。
【００２４】
このようにして、切換処理部２２に再入力された１６種類の映像信号は、出力部２４に出力される。この場合、出力部２４は、切換処理部２２から入力される合計１６種類の映像信号に対して各種信号処理を施して、出力信号変換部２５−１と２５−２に出力する。
【００２５】
出力部２４は、このような各種信号処理を実行すべく、出力処理部６１、及び多画面分割表示信号生成部６２から構成されている。
【００２６】
なお、切換処理部２２から出力部２４に入力される映像信号は、上述の１６種類の映像信号に特に限定されず、当該１６種類及び別の種類の映像信号のうち、任意の数の任意の種類の映像信号があり得る。ただし、以下の説明では、説明の便宜上、上述の１６種類の映像信号、または、編集後の１種類の映像信号（映像信号PGMに相当）が、出力部２４に入力されるものとして説明する。この場合、上述の１６種類の映像信号は、多画面分割表示信号の生成に用いられ、編集後の１種類の映像信号は、最終的な番組放送用の映像信号として用いられるものとする。そこで、以下、上述の１６種類の映像信号を、多画面分割表示生成用映像信号群と称し、編集後の１種類の映像信号を編集後映像信号と称する。
【００２７】
出力処理部６１は、切換処理部２２から入力される編集後映像信号に、出力処理を適宜施した上で、出力信号変換部２５−１に出力する。また、出力処理部６１は、多画面分割表示生成用映像信号群を、それに出力処理を適宜施した上で、多画面分割表示信号生成部６２に出力する。
【００２８】
出力信号変換部２５−１は、出力処理部６１から出力された編集後映像信号を、機器内信号の形態から、図示せぬ表示装置等で取り扱える形態に変換して、表示装置等に出力する。これにより、表示装置等には、上述したように、編集後映像信号に対応する映像が表示される。
【００２９】
多画面分割表示信号生成部６２は、切換処理部２２または出力処理部６１から入力される多画面分割表示生成用映像信号群の中から、多画面分割表示における分割表示数、すなわち子画面数の映像信号を選択的に切り換える。この場合の分割表示数は、任意の数が設定可能とされている。そして、多画面分割表示信号生成部６２は、選択した映像信号の各々に対応する映像を各子画面に分割表示できるように、各映像信号を合成することによって、多画面分割表示信号を生成して出力信号変換部２５−２に出力する。
【００３０】
[多画面分割表示信号の一例]
図３は、多画面分割表示信号生成部６２から出力される多画面分割表示信号の一例を示す図である。
【００３１】
図３の例では、多画面分割表示信号生成部６２は、ミックスエフェクト処理部４１−１乃至４１−４から出力された多画面分割表示生成用映像信号群、すなわち１６種類の映像信号の一部を選択しているのではなく、１６種類の映像信号の全てを選択している。そして、多画面分割表示信号生成部６２は、これらの１６種類の映像信号の全てを合成することによって、多画面分割表示信号ｓ１６ｍｉｘを生成する。多画面分割表示信号ｓ１６ｍｉｘ（より正確には、出力信号変換部２５−２によって出力形態が変換された映像信号）とは、図３に示されるように、１６種類の映像の各々が各子画面に分割表示される多画面分割表示を実現する映像信号をいう。
【００３２】
図３の各子画面内の文字は、当該子画面に表示される映像の種類を表わしている。各子画面内に図示されている「＃Ｋ」は、ミックスエフェクト処理部４１−Ｋの符号の最後の「Ｋ」に対応している。すなわち、「＃Ｋ」が図示されている子画面内には、ミックスエフェクト処理部４１−Ｋから出力された４種類の映像信号に対応する映像のうち、当該子画面内に図示された種類の映像が表示される。
【００３３】
具体的には、「＃１」が図示された左上の４つの子画面の各々は、ミックスエフェクト処理部４１−１から出力された４種類の映像信号の各々に対応する、PGM、PVW、CLEAN、及びKPVWの各々の映像が表示される。同様に、「＃２」が図示された右上の４つの子画面の各々は、ミックスエフェクト処理部４１−２から出力された４種類の映像信号の各々に対応する、PGM、PVW、CLEAN、及びKPVWの各々の映像が表示される。「＃３」が図示された左下の４つの子画面の各々は、ミックスエフェクト処理部４１−３から出力された４種類の映像信号の各々に対応する、PGM、PVW、CLEAN、及びKPVWの各々の映像が表示される。「＃４」が図示された右下の４つの子画面の各々は、ミックスエフェクト処理部４１−４から出力された４種類の映像信号の各々に対応する、PGM、PVW、CLEAN、及びKPVWの各々の映像が表示される。
【００３４】
出力信号変換部２５−２は、多画面分割表示信号生成部６２から出力された多画面分割表示信号ｓ１６ｍｉｘを、機器内信号の形態から、図示せぬ表示装置等で取り扱える形態に変換して、表示装置等に出力する。これにより、表示装置等には、上述したように、図３に示す１６分割画面が表示される。
【００３５】
以上説明したように、図１の信号切換装置１は、画面分割表示数（すなわち子画面の総数）が「１６」の多画面分割表示を実現する。このために、信号切換装置１では、１６個の各子画面の各々に対応する１６種類の映像信号が、多画面分割表示生成用映像信号群として信号処理部２３のミックスエフェクト処理部４１−１乃至４１−４から出力されて、切換処理部２２に再入力される。したがって、ミックスエフェクト処理部４１−１乃至４１−４を有する信号処理部２３においては、１６種類の映像信号の各々を伝達する１６本の信号線が必要になる。
【００３６】
さらに、上述の例では、多画面分割表示信号生成部６２に入力される多画面分割表示生成用映像信号群の信号数と、多画面分割表示信号生成部６２内で選択される信号数とは「１６」と一致していたが、常に一致しているとは限らない。すなわち、一般的には、多画面分割表示信号生成部６２に入力される多画面分割表示生成用映像信号群の信号数の方が多く、多画面分割表示生成用映像信号群内の一部の映像信号のみが選択的に切り換えられて、多画面分割表示信号の生成に用いられる。
【００３７】
より一般的にいえば、画面分割表示数（すなわち子画面の総数）がＭ個の多画面分割表示を実現する場合には、信号切換装置１では、ミックスエフェクト処理部４１−１乃至４１−４を有する信号処理部２３における信号線の数がＭ本以上必要になる。
【００３８】
さらにまた、図１には図示しなったが、その他の信号処理の機能が信号処理部２３に必要な場合、当該機能を実現するための構成要素が必要になり、その分だけ、信号線の数が増加する。
【００３９】
したがって、上述した要望、すなわち、画面分割表示数（すなわち子画面の総数）や、選択的に切り換えられる元の映像信号の総数を増やして多画面分割表示をしたいという要望に応えるためには、従来の信号処理装置では、内部の信号線の数が増大することになる。また、そのような数多くの信号線を入出力する回路、例えば、切換処理部２２、信号処理部２３、多画面分割表示信号生成部６２等を実現化する回路の規模も増大することになる。
【００４０】
ミックスエフェクト処理部４１の搭載数は、信号切換装置１全体の規模を表わす場合があり、ミックスエフェクト処理部４１の搭載数がＫ個（Ｋは１以上の整数値）のときには、信号切換装置１の規模はＫ M/Eと表現される。図１の例では、４つのミックスエフェクト処理部４１−１乃至４１−４が図示されているので、信号切換装置１の規模は４M/Eである。
【００４１】
多画面分割表示信号生成部６２の機能と低コスト化とはトレードオフの関係であることから、従来は、３M/E以上の大規模な信号切換装置１には、多画面分割表示信号生成部６２は内蔵されていない。
【００４２】
本発明は、このような状況に鑑みてなされたものであり、画面分割表示数、及び子画面に表示可能とする信号切換装置内部信号の数が増えても回路規模の増大を抑制して多画面分割表示ができるようにしたものである。
【課題を解決するための手段】
【００４３】
本発明の一側面の信号処理装置は、複数の映像信号を入力する入力手段と、前記入力手段に入力された前記複数の映像信号に対して、信号処理を施す信号処理手段と、前記信号処理手段により前記信号処理が施された前記複数の映像信号、及び、前記信号処理手段が前記信号処理を施している途中に生成される１以上の映像信号である中間生成信号の中から、Ｐ種類（Ｐは２以上の整数値）の映像信号を選択して合成することによって、サブ多画面分割表示信号を生成する、１以上のサブ多画面分割表示信号生成手段と、１以上の前記サブ多画面分割表示信号生成手段の各々により生成された１以上のサブ多画面分割表示信号のうち、Ｑ種類（Ｑは１以上の整数値）のサブ多画面分割表示信号を選択して合成することによって、多画面分割表示信号を生成する多画面分割表示信号生成手段とを備える。
【００４４】
前記サブ多画面分割表示信号生成手段は、前記信号処理手段の構成要素とすることができる。
【００４５】
前記信号処理手段は、前記信号処理として、前記入力手段に入力された複数の前記映像信号に対してエフェクトを付加してミックスするミックスエフェクト処理を施す、１以上のミックスエフェクト処理手段を備え、前記１以上のミックスエフェクト処理手段のそれぞれの構成要素として、前記サブ多画面分割表示信号生成手段が設けられており、前記サブ多画面分割表示信号生成手段は、前記ミックスエフェクト処理手段により前記ミックスエフェクト処理が施された前記複数の映像信号、及び、前記ミックスエフェクト処理手段が前記ミックスエフェクト処理を施している途中に生成される１以上の映像信号である中間生成信号の中から、Ｐ種類の映像信号を選択して合成することによって、前記サブ多画面分割表示信号を生成することができる。
【００４６】
前記信号処理手段は、前記信号処理として、前記入力手段に入力された複数の前記映像信号、並びに、前記信号処理手段から出力される前記信号処理が施された前記複数の映像信号、前記中間生成信号、及び前記サブ多画面分割表示信号のうち、少なくとも一部の映像信号を記憶するフレームメモリを備え、前記フレームメモリの構成要素として、前記サブ多画面分割表示信号生成手段が設けられており、前記サブ多画面分割表示信号生成手段は、前記フレームメモリにより記憶された映像信号の中から、Ｐ種類の映像信号を選択して合成することによって、前記サブ多画面分割表示信号を生成することができる。
【００４７】
前記信号処理手段は、前記信号処理として、前記入力手段に入力された複数の前記映像信号、並びに、前記信号処理手段から出力される前記信号処理が施された前記複数の映像信号、前記中間生成信号、及び前記サブ多画面分割表示信号のうち、少なくとも一部の映像信号に対して特殊効果処理を施す特殊効果処理手段を備え、前記特殊効果処理手段の構成要素として、前記サブ多画面分割表示信号生成手段が設けられており、前記サブ多画面分割表示信号生成手段は、前記特殊効果処理手段により前記特殊効果処理が施された前記映像信号、及び、前記特殊効果処理手段が前記特殊効果処理を施している途中に生成される１以上の映像信号である中間生成信号の中から、Ｐ種類の映像信号を選択して合成することによって、前記サブ多画面分割表示信号を生成することができる。
【００４８】
前記信号処理手段は、前記信号処理として、前記入力手段に入力された複数の前記映像信号、並びに、前記信号処理手段から出力される前記信号処理が施された前記複数の映像信号、前記中間生成信号、及び前記サブ多画面分割表示信号のうち、少なくとも一部の映像信号を、３次元画像表示のための映像信号に変換する３次元効果処理を実行する３次元効果処理手段を備え、前記３次元効果処理手段の構成要素として、前記サブ多画面分割表示信号生成手段が設けられており、前記サブ多画面分割表示信号生成手段は、前記３次元効果処理手段により前記３次元効果処理が施された前記映像信号、及び、前記３次元効果処理手段が前記３次元効果処理を施している途中に生成される１以上の映像信号である中間生成信号の中から、Ｐ種類の映像信号を選択して合成することによって、前記サブ多画面分割表示信号を生成することができる。
【００４９】
本発明の一側面の信号処理方法及びプログラムは、上述した本発明の一側面の信号処理装置に対応する方法及びプログラムである。
【００５０】
本発明の一側面の信号処理装置及び方法並びにプログラムにおいては、複数の映像信号が入力され、入力された前記複数の映像信号に対して、信号処理が施される。前記信号処理が施された前記複数の映像信号、及び、前記信号処理が施されている途中に生成される１以上の映像信号である中間信号の中から、Ｐ種類（Ｐは２以上の整数値）の映像信号が選択されて合成されることによって、サブ多画面分割表示信号が生成される。生成された１以上のサブ多画面分割表示信号のうち、Ｑ種類（Ｑは１以上の整数値）のサブ多画面分割表示信号が選択されて合成されることによって、多画面分割表示信号が生成される。
【発明の効果】
【００５１】
以上のごとく、本発明によれば、画面分割表示数、及び子画面に表示可能とする信号切換装置内部信号の数が増えても回路規模の増大を抑制して多画面分割表示ができる。
【図面の簡単な説明】
【００５２】
【図１】従来の信号切換装置の構成例を示すブロック図である。
【図２】ミックスエフェクト処理部から出力される各映像信号の例を説明する図である。
【図３】多画面分割表示信号の一例を示す図である。
【図４】本実施形態の信号切換装置の構成例を示すブロック図である。
【図５】サブ多画面分割表示信号を示す図である。
【図６】多画面分割表示信号の一例を示す図である。
【図７】ミックスエフェクト処理部の構成例を示すブロック図である。
【図８】映像BGAの一例を示す図である。
【図９】映像BGBの一例を示す図である。
【図１０】キー調整用信号及び合成キー調整用信号について説明する図である。
【図１１】キー調整用信号の設定状態について説明する図である。
【図１２】合成処理部により生成される各映像信号の映像を示す図である。
【図１３】多画面分割表示信号生成処理の一例を説明するフローチャートである。
【図１４】サブ多画面分割表示信号の他の例を示す図である。
【図１５】多画面分割表示信号の他の例を示す図である。
【発明を実施するための形態】
【００５３】
以下、３つの実施形態（以下、それぞれ第１実施形態乃至第３実施形態と称する）について、次の順序で説明する。
【００５４】
１．第１実施形態（PGM、PVW、CLEAN、及びKPVWの各映像信号からなる多画面分割表示信号の例）
２．第２実施形態（キー調整用信号からなる多画面分割表示信号の例）
３．第３実施形態（３次元画像の多画面分割表示信号の例）
【００５５】
＜１．第１実施形態＞
[本実施形態の信号切換装置の構成例]
図４は、本発明が適用される信号処理装置の一実施形態としての番組制作用の信号切換装置１０１の構成例を示すブロック図である。
【００５６】
図４に示されるように、本実施形態の信号切換装置１０１は、入力信号変換部１２１、切換処理部１２２、信号処理部１２３、出力部１２４、出力信号変換部１２５−１及び出力信号変換部１２５−２、操作部１２６、並びに制御部１２７から構成されている。
【００５７】
入力信号変換部１２１は、外部から入力された映像信号を、信号切換装置１０１の機器内で取り扱うことが可能な形態の機器内信号に変換して、切換処理部１２２に出力する。例えば、本実施形態では、入力信号変換部１２１に入力される映像信号としては、SDI(serial digital interface)信号が採用されている。また、例えば、本実施形態では、機器内信号として、差動信号が採用されている。
【００５８】
切換処理部１２２は、入力信号変換部１２１から入力された機器内信号、または信号処理部１２３から再入力された機器内信号を、選択的に切り換えて、所定の出力先に出力する。出力先としては、図４の例では、信号処理部１２３、及び出力部１２４が存在する。すなわち、切換処理部１２２から出力された機器内信号（以下、適宜映像信号とも称する）は、信号処理部１２３または出力部１２４に入力される。
【００５９】
信号処理部１２３は、切換処理部１２２から入力される機器内信号に対して各種の信号処理を施す。信号処理部１２３が信号処理を施している途中で、各種映像信号が生成される。すなわち、本実施形態では、信号処理部１２３による信号処理中に中間生成信号が生成される。信号処理部１２３により信号処理が施された機器内信号は、信号処理部１２３から出力されて切換処理部１２２に再入力される。なお、切換処理部１２２から信号処理部１２３に入力された機器内信号が信号処理部１２３で信号処理を施され、切換処理部１２２に再入力される一連の処理は、複数回連続して実行される場合もある。
【００６０】
信号処理部１２３には、ミックスエフェクト処理部１４１−１乃至１４１−４が設けられている。ミックスエフェクト処理部１４１−１乃至１４１−４は、切換処理部１２２から入力される機器内信号に対してワイプ切換処理、キー処理等の各種エフェクトを付加しミックスするミックスエフェクト処理を施す。ミックスエフェクト処理部１４１−１乃至１４１−４がミックスエフェクト処理を施している途中には、中間生成信号が生成される。なお、以下、ミックスエフェクト処理部１４１−１乃至１４１−４を個々に区別する必要がない場合、これらをまとめてミックスエフェクト処理部１４１と称する。
【００６１】
ミックスエフェクト処理部１４１は、このようなミックスエフェクト処理を実行すべく、合成処理部１６１、ワイプ切換信号生成部１６２、キー調整部１６３、及びサブ多画面分割表示信号生成部１６４から構成されている。
【００６２】
合成処理部１６１は、切換処理部１２２から入力される機器内信号に対して、ミックスエフェクト処理を施す。また、合成処理部１６１は、ミックスエフェクト処理を実行している最中に、複数の中間生成信号を生成する。
【００６３】
例えば本実施形態では、切換処理部１２２から１つのミックスエフェクト処理部１４１に対しては、第１のシーンの映像（以下、映像BGAと称する）の映像信号（以下、映像信号BGAと称する）と、第２のシーンの映像（以下、映像BGBと称する）の映像信号（以下、映像信号BGBと称する）とが入力されるとする。
【００６４】
この場合、合成処理部１６１は、映像信号BGAと映像信号BGBに基づいて、一定時間をかけて、切り換え前後の２つのシーン（映像BGA及び映像BGB）を画面内で分割合成しながら徐々にシーンを切り換えていく処理、すなわちワイプ切換処理を実行する。これにより、ワイプ切換処理が施された後の映像である映像CLEANの映像信号（以下、映像信号CLEANと称する）が生成される。
【００６５】
このような合成処理部１６１によって実行されるワイプ切換処理の処理方法は、ワイプ切換信号によって特定される。換言すると、ワイプ切換信号とは、例えば、２つのシーンのどちらからどちらに切り換えるのかといった切換方法、２つのシーンの分割合成の比率等ワイプ切換処理の処理方法を特定する信号をいう。
【００６６】
ワイプ切換信号生成部１６２は、このようなワイプ切換信号を生成し、合成処理部１６１に出力する。
【００６７】
合成処理部１６１はまた、複数のオブジェクトの中から、選択した１以上のオブジェクトを映像CLEANに切り抜き合成する処理、すなわちキー処理を実行する。
【００６８】
この場合、１つのオブジェクトを示す映像信号を、以下、キー調整用信号と称する。すなわち、合成処理部１６１は、複数のオブジェクトの中から、選択した１以上のオブジェクトのキー調整用信号を、映像信号CLEANに合成することによって、キー処理を実現する。
【００６９】
キー調整部１６３は、このようなキー調整用信号を、切り抜き合成の対象となるオブジェクト毎に生成する。例えば、本実施形態では、８つのオブジェクトが切り抜き合成の対象とされており、８つのオブジェクトの各々に対応するキー調整用信号key１乃至key８が生成される。
【００７０】
この場合、キー調整用信号key１乃至key８の各々は、オン状態またはオフ状態が設定される。オン状態とは、キー処理において利用されることを意味する一方、オフ状態とは、キー処理において利用が禁止されることを意味する。すなわち、キー調整用信号key１乃至key８のうち、オン状態のキー調整用信号に対応するオブジェクトが、キー処理で切り抜き合成される一方、オフ状態のキー調整用信号に対応するオブジェクトは、キー処理で切り抜き合成されない。
【００７１】
このようにして、キー処理において、キー調整用信号key１乃至key８のうち、オン状態のキー調整用信号が映像信号CLEANに合成されることによって、最終的に放送される番組の映像信号（機器内信号）が得られる。ここで、本実施形態では、最終的に放送される番組のうち、ワイプ切換処理の期間分の映像信号が、ほぼ同時期に合成処理部１６１により生成されるとする。
【００７２】
この場合、合成処理部１６１は、所定のタイミングでは、最終的に放送される番組の映像信号のうち、表示対象の映像PGM（Program）の映像信号（以下、PGM映像信号と称する）と、ワイプ切換処理後の次の映像PVW（Preview）の映像信号（以下、PVW映像信号と称する）とを生成したことになる。
【００７３】
そして、映像信号PGMと映像信号PVWが生成された所定のタイミングでは、映像信号CLEAN、及び映像KPVW（Key Preview）の映像信号（以下、映像信号KPVWと称する）が得られている。
【００７４】
ここで得られている映像信号KPVWとは、キー調整用信号key１乃至key８の全てがオン状態にされたとして、キー調整用信号key１乃至key８の全てが映像信号CLEANに合成された結果得られる信号と等価の映像信号である。具体的には、キー調整部１６３は、キー調整用信号key１乃至key８を合成することによって、合成キー調整用信号keyallを生成する。合成処理部１６１は、合成キー調整用信号keyallを映像信号CLEANに切り抜き合成することによって、映像信号KPVWを生成する。
【００７５】
さらに、映像信号PGMと映像信号PVWが生成された所定のタイミングでは、キー調整用信号key１乃至key８や、ワイプ切換信号も得られている。
【００７６】
そこで、合成処理部１６１は、ワイプ切換信号、キー調整用信号key１乃至key８及び合成キー調整用信号keyall、並びにPGM、PVW、CLEAN、及びKPVWの各映像信号を、サブ多画面分割表示信号生成部１６４に出力する。なお、これらの信号のうちの幾つかの信号は、必要に応じて、切換処理部１２２にも再入力される。
【００７７】
サブ多画面分割表示信号生成部１６４は、合成処理部１６１から入力された複数の信号の中から、任意の数の任意の種類の映像信号を選択的に切り換えて合成することによって、多画面分割表示信号を生成する。なお、合成処理部１６１から入力される複数の信号のうち、ワイプ切換信号、キー調整用信号key１乃至key８、映像信号CLEAN等は中間生成信号である。
【００７８】
なお、サブ多画面分割表示信号生成部１６４により生成される多画面分割表示信号を、後述するメイン多画面分割表示信号生成部２０２により生成される多画面分割表示信号と明確に区別すべく、以下、サブ多画面分割表示信号と称する。
【００７９】
本実施形態では、サブ多画面分割表示信号生成部１６４は、合成処理部１６１により生成されたPGM、PVW、CLEAN、及びKPVWの各映像信号を選択して合成することによって、サブ多画面分割表示信号（以下、特に符号ｓ４ｍｉｘを付す）を生成するものとする。
【００８０】
[サブ多画面分割表示信号ｓ４ｍｉｘ]
図５は、このようにして、サブ多画面分割表示信号生成部１６４によって生成されるサブ多画面分割表示信号ｓ４ｍｉｘを示す図である。
【００８１】
サブ多画面分割表示信号ｓ４ｍｉｘは、PGM、PVW、CLEAN、及びKPVWの各映像信号で構成される。すなわち、サブ多画面分割表示信号ｓ４ｍｉｘ（より正確には、出力形態が変換された映像信号）が仮に図示せぬ表示装置等に入力されたならば、図５に示されるように、４種類の映像の各々が各子画面に分割表示される。
【００８２】
ミックスエフェクト処理部１４１−１乃至１４１−４のそれぞれのサブ多画面分割表示信号生成部１６４は、相互に独立してサブ多画面分割表示信号ｓ４ｍｉｘを生成する。すなわち、４つのミックスエフェクト処理部１４１−１乃至１４１−４のそれぞれのサブ多画面分割表示信号生成部１６４毎に、１種類のサブ多画面分割表示信号ｓ４ｍｉｘがそれぞれ出力される。したがって、全体として、合計４種類のサブ多画面分割表示信号ｓ４ｍｉｘが４つのミックスエフェクト処理部１４１−１乃至１４１−４から出力されて、切換処理部１２２に再入力される。
【００８３】
信号処理部１２３には、切換処理部１２２から入力される機器内信号に対して各種の信号処理を施す構成要素として、このようなミックスエフェクト処理部１４１−１乃至１４１−４の他、さらに、フレームメモリ１４２、特殊効果処理部１４３、及び３次元効果処理部１４４も設けられている。
【００８４】
フレームメモリ１４２は、切換処理部１２２から入力される機器内信号、または信号処理部１２３に含まれる他の構成要素による信号処理によって生成された機器内信号（すなわち、中間生成信号、サブ多画面分割表示信号を含む）をフレーム単位で記憶する。
【００８５】
フレームメモリ１４２は、サブ多画面分割表示信号生成部１７１を含むように構成されている。サブ多画面分割表示信号生成部１７１は、記憶された複数フレーム分の機器内信号の中から、任意の数の任意の種類の機器内信号を選択的に切り換えて合成し、サブ多画面分割表示信号を生成して切換処理部１２２に再入力する。サブ多画面分割表示信号生成部１７１により生成されたサブ多画面分割表示信号が仮に図示せぬ表示装置等に入力されたならば、例えば、複数種類の映像の各々が各子画面に分割表示される。
【００８６】
特殊効果処理部１４３は、切換処理部１２２から入力される複数の機器内信号、または信号処理部１２３に含まれる他の構成要素による信号処理によって生成された機器内信号（すなわち、中間生成信号、サブ多画面分割表示信号を含む）の少なくとも一部に対して、フィルター、拡大縮小、モザイク処理等の特殊効果処理を順次施す。特殊効果処理部１４３が特殊効果処理を実行している最中には、複数の中間生成信号が生成される。例えば、フィルター処理後であって拡大縮小処理及びモザイク処理前の信号、フィルター処理及び拡大縮小処理後であってモザイク処理前の信号等が中間生成信号となる。
【００８７】
特殊効果処理部１４３は、サブ多画面分割表示信号生成部１８１を含むように構成されている。サブ多画面分割表示信号生成部１８１は、適宜特殊効果処理が施された複数の機器内信号、及び特殊効果処理を施している途中に生成される１以上の中間生成信号の中から、任意の数の任意の種類の機器内信号を選択的に切り換えて合成し、サブ多画面分割表示信号を生成して切換処理部１２２に再入力する。サブ多画面分割表示信号生成部１８１により生成されたサブ多画面分割表示信号が仮に図示せぬ表示装置等に入力されたならば、例えば、フィルター処理だけが施された映像、さらに拡大縮小処理が施された映像、さらにモザイク処理が部分的に施された映像等、複数種類の映像の各々が各子画面に分割表示される。
【００８８】
３次元効果処理部１４４は、切換処理部１２２から入力される複数の機器内信号、または信号処理部１２３に含まれる他の構成要素によって生成された機器内信号（すなわち、中間生成信号、サブ多画面分割表示信号を含む）の各々から、３次元画像表示のための左眼用の機器内信号、及び右眼用の機器内信号を生成したり、加工したりする。３次元効果処理部１４４が３次元画像表示のための機器内信号を生成する処理をしている最中には、複数の中間生成信号が生成される。例えば、３次元画像表示をした場合に人の目に違和感のないように、表示されるオブジェクトの凹凸の度合いが様々に設定された左眼用の機器内信号、及び右眼用の機器内信号が中間生成信号として生成される。
【００８９】
３次元効果処理部１４４は、サブ多画面分割表示信号生成部１９１を含むように構成されている。サブ多画面分割表示信号生成部１９１は、複数の左眼用の機器内信号、及び３次元画像表示のための機器内信号を生成する処理を施している途中に生成される１以上の中間生成信号の中から、任意の数の任意の種類の左眼用の機器内信号、及び複数の中間生成信号を選択的に切り換えて合成し、左眼用のサブ多画面分割表示信号を生成する。サブ多画面分割表示信号生成部１９１は、複数の右眼用の機器内信号、及び３次元画像表示のための機器内信号を生成する処理を施している途中に生成される１以上の中間生成信号の中から、任意の数の任意の種類の右眼用の機器内信号を選択的に切り換えて合成し、右眼用のサブ多画面分割表示信号を生成する。このようにして生成された左眼用と右眼用の各々のサブ多画面分割表示信号は、切換処理部１２２に再入力される。サブ多画面分割表示信号生成部１９１により生成されたサブ多画面分割表示信号が仮に図示せぬ表示装置等に入力されたならば、例えば、様々な凹凸の度合いでオブジェクトが表示された映像の各々が各子画面に分割表示される。
【００９０】
なお、本実施形態では、サブ多画面分割表示信号生成部１６４，１７１，１８１，１９１の各々は、ミックスエフェクト処理部１４１−１乃至１４１−４、フレームメモリ１４２、特殊効果処理部１４３、及び３次元効果処理部１４４の各々の構成要素として設けられている。ただし、サブ多画面分割表示信号生成部１６４，１７１，１８１，１９１の各々は、入力された複数の映像信号、及び中間生成信号の中から、任意の数の任意の種類の複数の信号を選択的に切り換えて合成し、サブ多画面分割表示信号を生成することができる機能を有していれば足りる。すなわち、サブ多画面分割表示信号生成部１６４，１７１，１８１，１９１の各々の配置位置は、図４の例に特に限定されず、任意の位置、例えば信号処理部１２３の外部でもよい。
【００９１】
信号処理部１２３には、上述した構成要素、すなわち、ミックスエフェクト処理部１４１、フレームメモリ１４２、特殊効果処理部１４３、及び３次元効果処理部１４４以外に、その他の各種信号処理を行う各種構成要素が適宜設けられる。
【００９２】
このようにして、信号処理部１２３から切換処理部１２２に各種各様の映像信号が入力される。切換処理部１２２に再入力された映像信号は、出力部１２４に適宜出力される。ここで、以下の説明では、説明の便宜上、図１の従来の信号切換装置１との比較を容易にすべく、切換処理部１２２から出力される信号は、多画面分割表示生成用映像信号群と、編集後映像信号とであるとする。
【００９３】
ただし、図１の従来の信号切換装置１においては、PGM、PVW、CLEAN、及びKPVWの何れかの単体に対応する映像信号が、１６種類集まった集合体が、多画面分割表示生成用映像信号群として採用されていた。これに対して、本実施形態の信号切換装置１０１においては、PGM、PVW、CLEAN、及びKPVWの各々が合成された４分割画像に対応するサブ多画面分割表示信号ｓ４ｍｉｘ１乃至ｓ４ｍｉｘ４の集合体が、多画面分割表示生成用映像信号群として採用されている。
【００９４】
出力部１２４は、切換処理部１２２から入力される多画面分割表示生成用映像信号群、または編集後映像信号に対して各種信号処理を施して、出力信号変換部１２５−１、または出力信号変換部１２５−２に出力する。
【００９５】
出力部１２４は、出力処理部２０１、及びメイン多画面分割表示信号生成部２０２から構成されている。
【００９６】
出力処理部２０１は、切換処理部１２２から入力される編集後映像信号に対して、必要に応じてセーフタイトル、スーパーインポーズ等の出力処理を施し、出力信号変換部１２５−１に出力する。また、出力処理部２０１は、切換処理部１２２から入力される多画面分割表示生成用映像信号群、すなわち、４種類のサブ多画面分割表示信号ｓ４ｍｉｘ１乃至ｓ４ｍｉｘ４に対して、必要に応じてセーフタイトル、スーパーインポーズ等の出力処理を施し、メイン多画面分割表示信号生成部２０２に出力する。
【００９７】
出力信号変換部１２５−１は、出力処理部２０１から入力される編集後映像信号を、機器内信号の形態から表示装置等に適した形態に変換し、具体的には本実施形態では差動信号をSDI信号に変換し、出力信号として図示せぬ表示装置等に出力する。
【００９８】
メイン多画面分割表示信号生成部２０２は、切換処理部１２２または出力処理部２０１から入力される複数の映像信号の中から、多画面分割表示における分割表示数、すなわち子画面の総数の映像信号を選択的に切り換える。
【００９９】
ただし、本実施形態では、多画面分割表示生成用映像信号群の全て、すなわち、４種類のサブ多画面分割表示信号ｓ４ｍｉｘ１乃至ｓ４ｍｉｘ４が、そのまま選択される。
【０１００】
メイン多画面分割表示信号生成部２０２は、選択したサブ多画面分割表示信号ｓ４ｍｉｘ１乃至ｓ４ｍｉｘ４の各々に対応する映像を各子画面に分割表示できるように、各サブ多画面分割表示信号ｓ４ｍｉｘ１乃至ｓ４ｍｉｘ４を合成する。その結果、１６分割の多画面分割表示信号が生成されて、出力信号変換部１２５−２に出力される。
【０１０１】
[多画面分割表示信号ｓ１６ｍｉｘの一例]
図６は、メイン多画面分割表示信号生成部２０２から出力される多画面分割表示信号ｓ１６ｍｉｘの一例を示す図である。
【０１０２】
図６の例では、メイン多画面分割表示信号生成部２０２は、上述したように、ミックスエフェクト処理部１４１−１乃至１４１−４から出力されたサブ多画面分割表示信号ｓ４ｍｉｘ１乃至ｓ４ｍｉｘ４の全てを選択する。そして、メイン多画面分割表示信号生成部２０２は、これらのサブ多画面分割表示信号ｓ４ｍｉｘ１乃至ｓ４ｍｉｘ４を合成することによって、多画面分割表示信号ｓ１６ｍｉｘを生成する。すなわち、多画面分割表示信号ｓ１６ｍｉｘ（より正確には、出力信号変換部１２５−２によって出力形態が変換された映像信号）が入力された図示せぬ表示装置等においては、図６に示されるように、１６種類の映像の各々が各子画面に分割表示される。このようにして、１６分割の多画面分割表示が実現される。
【０１０３】
図６の各子画面内の文字は、当該子画面に表示される映像の種類を表わしている。各子画面内に図示されている「♯Ｋ」は、ミックスエフェクト処理部１４１−Ｋの符号の最後の「Ｋ」に対応している。すなわち、「♯Ｋ」が図示されている子画面内には、ミックスエフェクト処理部１４１−Ｋから出力されたサブ多画面分割表示信号ｓ４ｍｉｘＫに対応する映像のうち、当該子画面内に図示された種類の映像が表示される。
【０１０４】
具体的には、「＃１」が図示された左上の子画面（すなわち２×２個の子画面の集合体）には、ミックスエフェクト処理部１４１−１から出力されたサブ多画面分割表示信号ｓ４ｍｉｘ１に対応する、PGM、PVW、CLEAN、及びKPVWの各映像が上下左右に４分割配置された合成画像が表示される。以下同様に、「＃２」が図示された右上の画面（すなわち２×２個の子画面の集合体）には、ミックスエフェクト処理部１４１−２から出力されたサブ多画面分割表示信号ｓ４ｍｉｘ２に対応する、PGM、PVW、CLEAN、及びKPVWの各映像が上下左右に４分割配置された合成画像が表示される。「＃３」が図示された左下の画面（すなわち２×２個の子画面の集合体）には、ミックスエフェクト処理部１４１−３から出力されたサブ多画面分割表示信号ｓ４ｍｉｘ３に対応する、PGM、PVW、CLEAN、及びKPVWの各映像が上下左右に４分割配置された合成画像が表示される。「＃４」が図示された右下の画面（すなわち２×２個の子画面の集合体）には、ミックスエフェクト処理部１４１−４から出力されたサブ多画面分割表示信号ｓ４ｍｉｘ４に対応する、PGM、PVW、CLEAN、及びKPVWの各映像が上下左右に４分割配置された合成画像が表示される。
【０１０５】
出力信号変換部１２５−２は、メイン多画面分割表示信号生成部２０２から出力された多画面分割表示信号ｓ１６ｍｉｘを、機器内信号の形態から表示装置等に適した形態に変換する。具体的には本実施形態では、多画面分割表示信号ｓ１６ｍｉｘは、差動信号からSDI信号の形態に変換され、出力信号として図示せぬ表示装置等に出力される。これにより、表示装置等には、上述したように、図６に示す１６分割画面が表示される。
【０１０６】
操作部１２６は、ユーザの操作を受け付け、操作に応じた信号を制御部１２７に出力する。操作部１２６は、例えば、キーボード、タッチパネル、ボタン、スイッチ、フェーダーレバー等で構成される。
【０１０７】
制御部１２７は、操作部１２６から入力される信号に応じて切換処理部１２２、信号処理部１２３、及び出力部１２４の処理を制御する。
【０１０８】
以上、本実施形態の信号切換装置１０１の構成について説明した。次に、ミックスエフェクト処理部１４１によるミックスエフェクト処理の詳細を説明する。
【０１０９】
[ミックスエフェクト処理の詳細]
図７は、ミックスエフェクト処理部１４１の構成例を示すブロック図である。
【０１１０】
ミックスエフェクト処理部１４１は、合成処理部１６１、ワイプ切換信号生成部１６２、キー調整部１６３、及びサブ多画面分割表示信号生成部１６４から構成されている。
【０１１１】
合成処理部１６１は、切換処理部１２２から入力される機器内信号に対して、ミックスエフェクト処理を施す。
【０１１２】
合成処理部１６１には、切換処理部１２２から映像信号BGA、映像信号BGB、及びその他の映像信号が入力される。本実施形態では、このうち、映像信号BGAと映像信号BGBに対して、ミックスエフェクト処理が施されるとする。
【０１１３】
[BGAの例]
図８は、BGAの一例を示す図である。
【０１１４】
BGA１乃至BGA５は、時刻t１乃至t５に表示対象となる映像信号BGAのフレームの映像である。
【０１１５】
ここで、時刻t１乃至t５とは、番組の映像が表示される所定の時刻を基準時刻とした場合における、基準時刻に対する相対的な時刻であり、符号tの後の数字の符号が増加する程基準時刻よりも時間が経過しているものとする。このことは、後述する他の図９、図１１でも同様とする。
【０１１６】
すなわち、時刻t１乃至t５の各々において、BGA１乃至BGA５が図示せぬ表示装置等に表示された場合、図８に示されるように、丸印で示される物体が画面の上方で、左側から右側に移動する様子が表示される。
【０１１７】
[映像BGBの例]
図９は、映像BGBの一例を示す図である。
【０１１８】
映像BGB１乃至BGB５は、時刻t１乃至t５に表示対象となる映像信号BGBのフレームの映像である。
【０１１９】
時刻t１乃至t５の各々において、映像BGB１乃至BGB５が図示せぬ表示装置等に表示された場合、図９に示されるように、三角印で示される物体が画面の下方において、右側から左側に移動する様子が表示される。
【０１２０】
合成処理部１６１は、ワイプ切換信号生成部１６２により生成されたワイプ切換信号にしたがって、映像信号BGAと映像信号BGBに対してワイプ切換処理を実行する。これにより、映像信号CLEANが生成される。
【０１２１】
ワイプ切換信号生成部１６２は、ワイプ切換処理の処理方法を規定するワイプ切換信号を生成し、合成処理部１６１に出力する。
【０１２２】
合成処理部１６１はまた、複数のオブジェクトの中から、選択した１以上のオブジェクトのキー調整用信号を、映像信号CLEANに合成する処理、すなわちキー処理を実行する。
【０１２３】
キー調整部１６３は、キー調整用信号生成部２２１−１乃至２２１−８を含むように構成される。キー調整用信号生成部２２１−１乃至２２１−８は、切り抜き合成の対象である８つのオブジェクトの各々に対応するキー調整用信号key１乃至key８をそれぞれ生成する。
【０１２４】
また、本実施形態では、キー調整部１６３は、キー調整用信号生成部２２１−１乃至２２１−８が生成したキー調整用信号key１乃至key８を合成することによって、合成キー調整用信号keyallを生成する。
【０１２５】
[キー調整用信号及び合成キー調整用信号の具体例]
図１０は、キー調整用信号及び合成キー調整用信号について説明する図である。
【０１２６】
なお、本実施形態では、キー調整部１６３は、キー調整用信号生成部２２１−１乃至２２１−８を含むため、８種類のキー調整用信号key１乃至key８を生成することができる。ただし、図１０においては、説明の簡略化のため、キー調整部１６３は、４種類のキー調整用信号key１乃至key４のみを生成するものとする。
【０１２７】
キー調整用信号key１は、キー調整用信号生成部２２１−１により生成される。図１０の例では、キー調整用信号key１は、アルファベットの「Ｓ」をオブジェクトとして含む信号である。したがって、キー調整用信号key1を用いたキー処理が、映像信号CLEANに対して施された場合、「Ｓ」が映像CLEANに対して切り抜き合成される。
【０１２８】
キー調整用信号key２は、キー調整用信号生成部２２１−２により生成される。図１０の例では、キー調整用信号key２は、アルファベットの「Ｏ」をオブジェクトとして含む信号である。したがって、キー調整用信号key２を用いたキー処理が、映像信号CLEANに対して施された場合、「Ｏ」が映像CLEANに対して切り抜き合成される。
【０１２９】
キー調整用信号key３は、キー調整用信号生成部２２１−３により生成される。図１０の例では、キー調整用信号key３は、アルファベットの「Ｎ」をオブジェクトとして含む信号である。したがって、キー調整用信号key３を用いたキー処理が、映像信号CLEANに対して施された場合、「Ｎ」が映像CLEANに対して切り抜き合成される。
【０１３０】
キー調整用信号key４は、キー調整用信号生成部２２１−４により生成される。図１０の例では、キー調整用信号key１は、アルファベットの「Ｖ」をオブジェクトとして含む信号である。したがって、キー調整用信号key４を用いたキー処理が、映像信号CLEANに対して施された場合、「Ｖ」が映像CLEANに対して切り抜き合成される。
【０１３１】
なお、キー調整部１６３によって、全てのキー調整用信号（図１０の例の場合、４つのキー調整用信号key１乃至key４）が合成されて、合成キー調整用信号keyallが生成される。
【０１３２】
個々のキー処理では、キー調整用信号key１乃至key４の各々は、オン状態またはオフ状態が設定されて、一括してキー処理に用いられる。すなわち、キー処理では、キー調整用信号key１乃至key４のうち、オン状態のキー調整用信号に対応するオブジェクトが映像CLEANに切り抜き合成される一方、オフ状態のキー調整用信号に対応するオブジェクトは映像CLEANに切り抜き合成されない（禁止される）。
【０１３３】
[キー調整用信号の設定状態]
図１１は、キー調整用信号の設定状態について説明する図である。
【０１３４】
具体的には例えば、図１１の例では、キー調整用信号key１、及びキー調整用信号key２のそれぞれがオン状態に設定され、キー調整用信号key３、及びキー調整用信号key４のそれぞれがオフ状態に設定されている。このため、キー処理では、キー調整用信号key１に対応する「Ｓ」、及びキー調整用信号key２に対応する「Ｏ」が映像CLEANに対して切り抜き合成される。キー調整用信号key３に対応する「Ｎ」と、キー調整用信号key４に対応する「Ｖ」は、合成されない。すなわち、「Ｓ」及び「Ｏ」が映像CLEANの上に重畳された映像の映像信号が、映像信号PGMや映像信号PVWとして得られる。
【０１３５】
また、キー処理とは別に、合成キー調整用信号keyallと映像信号CLEANとを合成して、映像信号KPVWを生成する処理が実行される。すなわち、キー調整用信号key１乃至key４のオブジェクトの全て、図１１の例では「Ｓ」、「Ｏ」、「Ｎ」、及び「Ｖ」の全てが映像CLEANに重畳された映像の映像信号が、映像信号KPVWとして得られる。換言すると、実際のキー処理におけるオン状態またはオフ状態の設定に関わらず、キー調整用信号key１乃至key４の全てがオン状態になったキー処理により得られる映像信号と等価の映像信号が、映像信号KPVWとして得られる。
【０１３６】
以上、図１０と図１１を参照して、説明の便宜上、キー調整用信号key１乃至key４のみのキー処理の例を説明したが、本実施形態では、キー調整用信号key１乃至key８がキー処理に用いられると共に、これらのキー調整用信号key１乃至key８が合成された結果得られる合成キー調整用信号keyallを用いて、映像信号KPVWが生成される。
【０１３７】
このようにして、合成処理部１６１には、ワイプ切換信号生成部１６２からのワイプ切換信号、並びに、キー調整部１６３からのキー調整用信号key１乃至key８及び合成キー調整用信号keyallが入力される。
【０１３８】
合成処理部１６１は、ワイプ切換信号、キー調整用信号key１乃至key８、及び合成キー調整用信号keyallを適宜用いて、ワイプ切換処理やキー処理等のミックスエフェクト処理を、映像信号BGA及び映像信号BGBに対して施す。その結果、PGM、PVW、CLEAN、及びKPVWの各映像信号が生成される。
【０１３９】
[PGM、PVW、CLEAN、及びKPVWの各映像]
図１２は、PGM、PVW、CLEAN、及びKPVWの各映像を示す図である。
【０１４０】
合成処理部１６１は、入力された映像信号BGA及び映像信号BGBに対して、ワイプ切換信号を用いてワイプ切換処理を施し、映像信号CLEANを生成する。ワイプ切換処理後の映像、すなわち、切り換え前後の２つのシーン、すなわち映像BGA及び映像BGBが分割合成された映像が、図１２の一番左に示される映像CLEANである。
【０１４１】
映像CL１乃至CL５は、時刻t１乃至t５に表示対象となる映像信号CLEANのフレームの映像である。時刻t１乃至t５の各々において、映像CL１乃至CL５が図示せぬ表示装置等に表示された場合、図１２に示されるように、時刻t１乃至t５の間に、映像BGAから映像BGBに徐々に切り換えられる様子が表示される。
【０１４２】
映像CL１は、水平方向の合成比率が、映像BGA１については１００％、映像BGB１については０％がそれぞれ設定されて、映像BGA１と映像BG１２とが分割合成された結果得られる映像である。
【０１４３】
映像CL２は、水平方向の合成比率が、映像BGA２については８０％、映像BGB２については２０％がそれぞれ設定されて、映像BGA２と映像BGB２とが右下から左上方向に分割合成された結果得られる映像である。
【０１４４】
映像CL３は、水平方向の合成比率が、映像BGA３については５０％、映像BGB３については５０％がそれぞれ設定されて、映像BGA３と映像BGB３とが右下から左上方向に分割合成された結果得られる映像である。
【０１４５】
映像CL４は、水平方向の合成比率が、映像BGA４については２０％、映像BGB４については８０％がそれぞれ設定されて、映像BGA４と映像BGB４とが右下から左上方向に分割合成された結果得られる映像である。
【０１４６】
映像CL５は、水平方向の合成比率が、映像BGA５については０％、映像BGB５については１００％がそれぞれ設定されて、映像BGA５と映像BGB５とが右下から左上方向に分割合成された結果得られる映像である。
【０１４７】
映像CLEANにおける映像BGA、及び映像BGBの合成比率は、操作部１２６の一部を構成するフェーダーレバーが上下に操作されることによって、その動作量と連動して変化する。すなわち、フェーダーレバーが上から下に操作されることにより、その操作に対応するワイプ切換信号が合成処理部１６１に出力され、その結果、図１２に示されるような映像BGAから映像BGBに徐々に切り換わっていく映像信号CLEANが得られる。一方、フェーダーレバーが下から上に操作されることにより、その操作に対応するワイプ切換信号が合成処理部１６１に出力され、その結果、逆方向の映像BGBから映像BGAに徐々に切り換わっていく映像信号CLEANが得られる。
【０１４８】
キー処理により、映像CLEANに対して、所定のオブジェクトが切り抜き合成された結果得られる映像が、最終的に放送される番組の映像である映像PGMである。図１２の例では、説明の簡略上、図１１の例のキー調整用信号key１乃至key４のうちオン状態のものに対応するオブジェクト、すなわち、「Ｓ」、「Ｏ」、「Ｎ」、「Ｖ」のうちの「Ｓ」、「Ｏ」のオブジェクトが映像CLEANに切り抜き合成された結果得られる映像PGMが示されている。すなわち、図１２の左から２番目に示される映像PG１乃至PG５は、時刻t１乃至t５に表示対象となる映像信号PGMのフレームの映像である。
【０１４９】
図１２の左から３番目に示される映像PV１乃至PV５は、時刻t１乃至t５に表示対象となる映像信号PVWのフレームの映像である。
【０１５０】
映像PVWとは、ワイプ切換処理後の背景画像に対して、キー調整用信号key１乃至key４のうちオン状態のものに対応するオブジェクト（図１１の例では「Ｓ」と「Ｏ」）が切り抜き合成された映像である。ここで、時刻t１乃至t４において、ワイプ切換処理後の背景画像は、映像BGBである。より具体的には、時刻t１乃至t４におけるワイプ切換処理後の各背景画像は、図８の映像BGB１乃至BGB４の各々である。したがって、時刻t１乃至t４における映像PV１乃至PV４の各々は、映像BGB１乃至BGB４の各々に対して、キー調整用信号key１乃至key４のうちオン状態のものに対応するオブジェクト（図１１の例では「Ｓ」と「Ｏ」）が切り抜き合成された映像になる。なお、時刻t５におけるワイプ切換処理後の背景画像は、時刻t５で映像BGBに完全に切り換わっているので、次に切り換わる映像BGAになる。したがって、時刻ｔ５における映像PV５とは、映像BGA５に対して、キー調整用信号key１乃至key４のうちオン状態のものに対応するオブジェクト（図１１の例では「Ｓ」と「Ｏ」）が切り抜き合成された映像になる。
【０１５１】
一方、図示はしないが、フェーダーレバーが下から上に操作された場合には、映像PVWは次のような映像となる。すなわち、時刻t１におけるワイプ切換処理後の背景画像は、映像BGBになる。したがって、時刻ｔ１における映像PV１は、映像BGB１に対して、キー調整用信号key１乃至key４のうちオン状態のものに対応するオブジェクト（図１１の例では「Ｓ」と「Ｏ」）が切り抜き合成された映像になる。時刻t２乃至t５において、ワイプ切換処理後の背景画像は、映像BGAである。より具体的には、時刻t２乃至t５におけるワイプ切換処理後の各背景画像は、図８の映像BGA２乃至BGA５の各々である。したがって、時刻t２乃至t５における映像PV２乃至PV５の各々は、映像BGA２乃至BGA５の各々に対して、キー調整用信号key１乃至key４のうちオン状態のものに対応するオブジェクト（図１１の例では「Ｓ」と「Ｏ」）が切り抜き合成された映像になる。
【０１５２】
図１２の最も右側に示される映像KPVWは、キー調整用信号key１乃至key４の全てがオン状態にされたとして、キー調整用信号key１乃至key４の全てが映像信号CLEANに合成された結果得られる映像と等価の映像である。すなわち、キー調整用信号key１乃至key４の全てが合成された合成キー調整用信号keyallが、映像信号CLEANに合成された結果得られる映像信号が、映像信号KPVWである。
【０１５３】
映像KP１乃至KP５は、時刻t１乃至t５に表示対象となる映像信号KPVWのフレームの映像である。時刻t１乃至t５の各々において、映像KP１乃至KP５が図示せぬ表示装置等に表示された場合、図１２に示されるように、映像CL１乃至CL５に対して、キー調整用信号key１乃至key４の各々に対応する全てのオブジェクト、すなわち「Ｓ」、「Ｏ」、「Ｎ」、及び「Ｖ」が切り抜き合成された様子が表示される。
【０１５４】
このようにして、合成処理部１６１によりPGM、PVW、CLEAN、及びKPVWの各映像信号が生成される。ただし、図１２の例では、キー調整用信号key１乃至key４が用いられたが、本実施形態では、キー調整用信号key１乃至key８が用いられる。
【０１５５】
合成処理部１６１により生成されたPGM、PVW、CLEAN、及びKPVWの各映像信号は、サブ多画面分割表示信号生成部１６４に出力される。また、キー調整部１６３で生成されたキー調整用信号key１乃至key８及び合成キー調整用信号keyall、ワイプ切換信号生成部１６２で生成されたワイプ切換信号、並びにその他の映像信号等が、サブ多画面分割表示信号生成部１６４に出力される。なお、これらの映像信号のうちの幾つかの映像信号は、必要に応じて、切換処理部１２２にも再入力される。
【０１５６】
サブ多画面分割表示信号生成部１６４は、合成処理部１６１から入力された複数の映像信号の中から、任意の数の任意の種類の映像信号を選択的に切り換えて合成することによって、多画面分割表示信号を生成する。本実施形態では、サブ多画面分割表示信号生成部１６４は、PGM、PVW、CLEAN、及びKPVWの各映像信号を選択して合成することによって、サブ多画面分割表示信号ｓ４ｍｉｘを生成する。そして、サブ多画面分割表示信号生成部１６４は、生成したサブ多画面分割表示信号ｓ４ｍｉｘを切換処理部１２２に再入力する。
【０１５７】
以上説明したミックスエフェクト処理は、ミックスエフェクト処理部１４１−１乃至１４１−４の各々において相互に独立して実行される。その結果、ミックスエフェクト処理部１４１−１乃至１４１−４から、４種類のサブ多画面分割表示信号ｓ４ｍｉｘ１乃至ｓ４ｍｉｘ４が、切換処理部１２２に再入力され、多画面分割表示生成用映像信号群として出力部１２４に入力される。また、ミックスエフェクト処理部１４１−１乃至１４１−４の何れかから出力されて切換処理部１２２に再入力された映像信号PGMは、編集後映像信号として出力部１２４に入力される。この場合、メイン多画面分割表示信号生成部２０２は、多画面分割表示生成用映像信号群のうち任意の数の任意の種類の映像信号を選択して合成することによって、多画面分割表示信号を生成する。本実施形態では、４種類のサブ多画面分割表示信号ｓ４ｍｉｘ１乃至ｓ４ｍｉｘ４が全て選択されて合成されることによって、多画面分割表示信号ｓ１６ｍｉｘが生成される。
【０１５８】
以上、本実施形態の信号切換装置１０１の構成について説明した。
【０１５９】
次に、このような構成を有する信号切換装置１０１が実行する処理のうち、BGAとBGBの各映像信号を入力してから多画面分割表示信号ｓ１６ｍｉｘを生成して外部に出力するまでの一連の処理の流れについて、図１３を用いて説明する。なお、以下、このような一連の処理を、多画面分割表示信号生成処理と称する。
【０１６０】
[多画面分割表示信号生成処理]
図１３は、多画面分割表示信号生成処理の一例を説明するフローチャートである。
【０１６１】
ステップＳ１において、切換処理部１２２は、BGAとBGBの各映像信号を入力する。
【０１６２】
切換処理部１２２に入力されたBGAとBGBの各映像信号は、切換処理部１２２からミックスエフェクト処理部１４１−１乃至１４１−４のそれぞれに入力される。その後、処理はステップＳ２に進む。
【０１６３】
ステップＳ２において、ミックスエフェクト処理部１４１−１乃至１４１−４のそれぞれの合成処理部１６１は、PGM、PVW、CLEAN、及びKPVWの各映像信号をそれぞれ生成する。
【０１６４】
すなわち、ミックスエフェクト処理部１４１−１乃至１４１−４のそれぞれの合成処理部１６１は、BGAとBGBの各映像信号に対してワイプ切換処理やキー処理等を施すことによって、PGM、PVW、CLEAN、及びKPVWの各映像信号を相互に独立してそれぞれ生成する。ミックスエフェクト処理部１４１−１乃至１４１−４のそれぞれの内部において、PGM、PVW、CLEAN、及びKPVWの各映像信号は、合成処理部１６１からサブ多画面分割表示信号生成部１６４に入力される。その後、処理はステップＳ３に進む。
【０１６５】
ステップＳ３において、ミックスエフェクト処理部１４１−１乃至１４１−４のそれぞれのサブ多画面分割表示信号生成部１６４は、PGM、PVW、CLEAN、及びKPVWの各映像信号を選択して合成することによって、サブ多画面分割表示信号ｓ４ｍｉｘ１乃至ｓ４ｍｉｘ４のそれぞれを生成する。
【０１６６】
４種類のサブ多画面分割表示信号ｓ４ｍｉｘ１乃至ｓ４ｍｉｘ４は、ミックスエフェクト処理部１４１−１乃至１４１−４から切換処理部１２２に再入力され、さらに、切換処理部１２２から多画面分割表示生成用映像信号群として出力部１２４に入力される。その後、処理はステップＳ４に進む。
【０１６７】
ステップＳ４において、メイン多画面分割表示信号生成部２０２は、多画面分割表示生成用映像信号群のうち、４種類のサブ多画面分割表示信号ｓ４ｍｉｘ１乃至ｓ４ｍｉｘ４を全て選択して合成し、多画面分割表示信号ｓ１６ｍｉｘを生成する。
【０１６８】
多画面分割表示信号ｓ１６ｍｉｘは、メイン多画面分割表示信号生成部２０２から出力信号変換部１２５−２に入力される。
【０１６９】
次に、ステップＳ５において、出力信号変換部１２５−２は、多画面分割表示信号ｓ１６ｍｉｘの形態を変換して、外部に出力する。具体的には本実施形態では、多画面分割表示信号ｓ１６ｍｉｘは、差動信号からSDI信号の形態に変換され、出力信号として外部の図示せぬ表示装置等に出力される。これにより、図示せぬ表示装置等には、上述したように、図６に示す１６分割画面が表示される。
【０１７０】
以上のようにして、多画面分割表示信号生成処理は終了する。
【０１７１】
なお、多画面分割表示信号生成処理のステップＳ１乃至Ｓ４の各ステップの処理単位は、本実施形態では、時刻t１乃至t５までに相当する期間に含まれるフレームであるものとする。ただし、ステップＳ１乃至Ｓ４の各ステップの処理単位は、これに限定されず、例えばフレームまたはフィールドを単位とする等、任意に設定することが可能である。
【０１７２】
このように、ミックスエフェクト処理部１４１−１乃至１４１−４のそれぞれのサブ多画面分割表示信号生成部１６４は、予め、PGM、PVW、CLEAN、及びKPVWの各映像信号を相互に独立して合成し、４分割画面のサブ多画面分割表示信号ｓ４ｍｉｘ１乃至ｓ４ｍｉｘ４を生成する。そして、メイン多画面分割表示信号生成部２０２は、４種類のサブ多画面分割表示信号ｓ４ｍｉｘ１乃至ｓ４ｍｉｘ４を全て選択して合成することにより、１６分割画面の多画面分割表示信号ｓ１６ｍｉｘを生成する。
【０１７３】
すなわち、従来においては、１６分割画面を可能にする多画面分割表示信号ｓ１６ｍｉｘは、多画面分割表示信号生成部６２における１段階の処理のみで生成されていた。
【０１７４】
具体的には、映像信号PGM、映像信号PVW、映像信号CLEAN、または映像信号KPVWといった、それぞれが１画面分の大きさの映像信号の１６種類の集合体が、多画面分割表示生成用映像信号群として、１つの多画面分割表示信号生成部６２に入力されていた。このため、１６種類の映像信号は、１つの多画面分割表示信号生成部６２において合成されて、多画面分割表示信号ｓ１６ｍｉｘが生成されていた。
【０１７５】
これに対して、本実施形態では、１６分割画面を可能にする多画面分割表示信号ｓ１６ｍｉｘは、メイン多画面分割表示信号生成部２０２のみならず、複数のサブ多画面分割表示信号生成部１６４も用いられて、２段階の処理で生成される。
【０１７６】
具体的には、１段階目の処理では、映像信号PGM、映像信号PVW、映像信号CLEAN、または映像信号KPVWといった、それぞれが１画面分の大きさの映像信号の１６種類の集合体は、映像信号PGM、映像信号PVW、映像信号CLEAN、及び映像信号KPVWの４種類の映像信号を処理単位として、複数のサブ多画面分割表示信号生成部１６４の各々に入力される。そして、複数のサブ多画面分割表示信号生成部１６４の各々は、処理単位の４種類の映像信号を合成する。これにより、１段階目の処理としては、１画面の１／４の大きさである４分割画面の大きさのサブ多画面分割表示信号ｓ４ｍｉｘ１乃至ｓ４ｍｉｘ４が生成される。２段階目の処理では、これら４種類のサブ多画面分割表示信号ｓ４ｍｉｘ１乃至ｓ４ｍｉｘ４がメイン多画面分割表示信号生成部２０２に入力される。そして、メイン多画面分割表示信号生成部２０２において、４種類のサブ多画面分割表示信号ｓ４ｍｉｘ１乃至ｓ４ｍｉｘ４が１画面の大きさの映像信号に合成されることにより、１画面の１／１６の大きさである１６分割画面を１画面の大きさに合成した多画面分割表示信号ｓ１６ｍｉｘが生成される。
【０１７７】
従来の信号切換装置１と本実施形態の信号切換装置１０１との内部の信号線の本数を比較すると、１６分割画面の多画面分割表示信号ｓ１６ｍｉｘを生成するためには、従来では１６本必要であったところ、本実施形態では４本で済むようになる。
【０１７８】
このため、１６分割画面の多画面分割表示信号ｓ１６ｍｉｘを生成するためには、従来では、信号切換装置１の構成要素は、１６本の入出力を有する回路で実現する必要が生じ、回路規模が増大してしまうため、１６分割の多画面分割表示の実現化が困難であった。これに対して、本実施形態では、信号切換装置１０１の構成要素は、４本の入出力を有する回路で実現することが可能になるため、回路規模の増大を抑制することが可能になり、１６分割の多画面分割表示を容易に実現することが可能になる。
【０１７９】
また、切換処理部１２２から入力される機器内信号に対して各種の信号処理を施す構成要素としてのフレームメモリ１４２、特殊効果処理部１４３、及び３次元効果処理部１４４の各々には、サブ多画面分割表示信号生成部１７１，１８１，及び１９１が設けられている。これにより、フレームメモリ１４２、特殊効果処理部１４３、及び３次元効果処理部１４４で生成された信号、または中間生成信号がそのままの形態で出力されるのではなく、複数の信号が合成されたサブ多画面分割表示信号として出力されるので、出力に必要な信号線の数を減らすことができる。したがって、信号切換装置１０１の回路規模の増大を抑制することが可能となる。
【０１８０】
また、本実施形態の信号切換装置１０１では、信号処理を施す構成要素、すなわち、ミックスエフェクト処理部１４１、フレームメモリ１４２、特殊効果処理部１４３、及び３次元効果処理部１４４の中、またはその外部にサブ多画面分割表示信号生成部を配置させる。これにより、信号処理を施す構成要素内で生成された信号、及び信号処理の途中で生成される中間生成信号を表示させることができるようになる。
【０１８１】
さらに、複数の信号を合成したサブ多画面分割表示信号ｓ４ｍｉｘを１つの信号として取り扱うことができるので、制御部１２７による制御が容易になる。
【０１８２】
＜２．第２実施形態＞
第１実施形態のサブ多画面分割表示信号生成部１６４は、切換処理部１２２から入力された各種映像信号のうち、合成処理部１６１により生成されたPGM、PVW、CLEAN、及びKPVWの各映像信号を選択して合成していた。すなわち、PGM、PVW、CLEAN、及びKPVWの各映像が上下左右に４分割表示されるサブ多画面分割表示信号ｓ４ｍｉｘが生成された。
【０１８３】
しかしながら、サブ多画面分割表示信号生成部１６４が選択して合成する映像信号は、第１実施形態の例に特に限定されない。そこで、第２実施形態では、キー調整部１６３で生成されたキー調整用信号key１乃至key８、及び合成キー調整用信号keyallが選択されて合成されて、後述する図１４に示す構造のサブ多画面分割表示信号が生成される。なお、第２実施形態で生成されるサブ多画面分割表示信号を、第１実施形態で生成されるサブ多画面分割表示信号ｓ４ｍｉｘと明確に区別すべく、以下、サブ多画面分割表示信号ｓＫｍｉｘと称する。
【０１８４】
以下さらに、第２実施形態の信号切換装置の構成は第１実施形態の信号切換装置１０１と同様であるものとして、サブ多画面分割表示信号ｓＫｍｉｘの詳細について説明する。
【０１８５】
[サブ多画面分割表示信号ｓＫｍｉｘ]
図１４は、第２実施形態のサブ多画面分割表示信号生成部１６４によって生成されるサブ多画面分割表示信号のｓＫｍｉｘを示す図である。
【０１８６】
第２実施形態では、サブ多画面分割表示信号生成部１６４は、キー調整部１６３で生成されたキー調整用信号key１乃至key８、及び合成キー調整用信号keyallを合成し、サブ多画面分割表示信号ｓＫｍｉｘを生成する。
【０１８７】
したがって、編集者は、サブ多画面分割表示信号ｓＫｍｉｘに基づく映像を見ることによって、番組の映像に合成されるオブジェクト、すなわちキー調整用信号に対応するオブジェクトを確認しながら、編集作業の確認を行うことができるようになる。
【０１８８】
ミックスエフェクト処理部１４１−１乃至１４１−４のそれぞれのサブ多画面分割表示信号生成部１６４は、９分割画面のサブ多画面分割表示信号ｓＫｍｉｘを相互に独立してそれぞれ生成して出力する。そこで、以下、ミックスエフェクト処理部１４１−１乃至１４１−４のそれぞれから出力されるサブ多画面分割表示信号ｓＫｍｉｘを、以下、サブ多画面分割表示信号ｓＫｍｉｘ１乃至ｓＫｍｉｘ４のそれぞれと称する。
【０１８９】
ミックスエフェクト処理部１４１−１乃至１４１−４を含む信号処理部１２３からは、合計４種類のサブ多画面分割表示信号ｓＫｍｉｘ１乃至ｓＫｍｉｘ４が出力され、切換処理部１２２に再入力される。
【０１９０】
このため、第２実施形態の信号切換装置１０１においては、４種類のサブ多画面分割表示信号ｓＫｍｉｘ１乃至ｓＫｍｉｘ４の集合体が、多画面分割表示生成用映像信号群として切換処理部１２２から出力されて、出力部１２４に入力される。
【０１９１】
出力部１２４のメイン多画面分割表示信号生成部２０２は、多画面分割表示生成用映像信号群の全て、すなわち、４種類のサブ多画面分割表示信号ｓＫｍｉｘ１乃至ｓＫｍｉｘ４の全てを選択して合成する。その結果、図示はしないが、３６分割画像の多画面分割表示信号が生成されて、出力信号変換部１２５−２に出力される。
【０１９２】
出力信号変換部１２５−２は、メイン多画面分割表示信号生成部２０２から出力された多画面分割表示信号を、機器内信号の形態から表示装置等に適した形態に変換する。具体的には本実施形態では、多画面分割表示信号は、差動信号からSDI信号の形態に変換され、出力信号として図示せぬ表示装置等に出力される。すると、表示装置等には、図示はしないが、各種キー調整用信号等に対応する３６種類のオブジェクトが分割表示された、３６分割画面が表示される。
【０１９３】
＜３．第３実施形態＞
第１実施形態、及び第２実施形態では、メイン多画面分割表示信号生成部２０２は、ミックスエフェクト処理部１４１−１乃至１４１−４内で生成された４種類のサブ多画面分割表示信号の集合体を、多画面分割表示生成用映像信号群として多画面分割表示信号を生成した。
【０１９４】
しかしながら、多画面分割表示生成用映像信号群は、ミックスエフェクト処理部１４１−１乃至１４１−４内で生成されたサブ多画面分割表示信号である必要は特にない。第３実施形態では、多画面分割表示生成用映像信号群として、３次元効果処理部１４４により生成されたサブ多画面分割表示信号の集合体が採用される。
【０１９５】
以下さらに、第３実施形態の信号切換装置の構成は第１実施形態の信号切換装置１０１と同様であるものとして、第３実施形態のサブ多画面分割表示信号、及び、当該サブ多画面分割表示信号から生成される多画面分割表示信号の詳細について説明する。
【０１９６】
[多画面分割表示信号ｓ３Ｄｍｉｘ]
図１５は、第３実施形態の信号切換装置により生成される多画面分割表示信号を示す図である。
【０１９７】
図１５に示されるように、多画面分割表示信号ｓ３Ｄｍｉｘは、４種類のサブ多画面分割表示信号ｓＬ４ｍｉｘ，ｓＲ４ｍｉｘ，ｓＬＫｍｉｘ，ｓＲＫｍｉｘが合成された結果得られる映像信号である。
【０１９８】
例えば、PGM、PVW、CLEAN、及びKPVWの各映像信号が、ミックスエフェクト処理部１４１−１から切換処理部１２２に再入力されて、さらに、切換処理部１２２から３次元効果処理部１４４に入力されたとする。
【０１９９】
この場合、３次元効果処理部１４４は、左眼用PGM及び右眼用PGM、左眼用PVW及び右眼用PVW、左眼用CLEAN及び右眼用CLEAN、並びに、左眼用KPVW及び右眼用KPVWの各映像信号を生成する。
【０２００】
そして、３次元効果処理部１４４のサブ多画面分割表示信号生成部１９１は、左眼用PGM、左眼用PVW、左眼用CLEAN、及び、左眼用KPVWの映像信号を選択して合成することによって、左眼用のサブ多画面分割表示信号ｓＬ４ｍｉｘを生成する。また、サブ多画面分割表示信号生成部１９１は、右眼用PGM、右眼用PVW、右眼用CLEAN、及び、右眼用KPVWの映像信号を選択して合成することによって、右眼用のサブ多画面分割表示信号ｓＲ４ｍｉｘを生成する。
【０２０１】
換言すると、ミックスエフェクト処理部１４１−１によって生成されるサブ多画面分割表示信号ｓ４ｍｉｘ１に対して３次元効果を施された場合に得られる映像信号と等価な映像信号が、左眼用のサブ多画面分割表示信号ｓＬ４ｍｉｘと右眼用のサブ多画面分割表示信号ｓＲ４ｍｉｘとの組である。したがって、切換処理部１２２から３次元効果処理部１４４に入力される映像信号は、ミックスエフェクト処理部１４１によって生成されるサブ多画面分割表示信号ｓ４ｍｉｘであってもよい。
【０２０２】
また例えば、キー調整用信号key１乃至key４の各映像信号が、ミックスエフェクト処理部１４１−１から切換処理部１２２に再入力されて、さらに、切換処理部１２２から３次元効果処理部１４４に入力されたとする。
【０２０３】
この場合、３次元効果処理部１４４は、左眼用キー調整用信号key１及び右眼用キー調整用信号key１、左眼用キー調整用信号key２及び右眼用キー調整用信号key２、左眼用キー調整用信号key３及び右眼用キー調整用信号key３、並びに、左眼用キー調整用信号key４及び右眼用キー調整用信号key４の各映像信号を生成する。
【０２０４】
そして、３次元効果処理部１４４のサブ多画面分割表示信号生成部１９１は、左眼用キー調整用信号key１、左眼用キー調整用信号key２、左眼用キー調整用信号key３、及び、左眼用キー調整用信号key４の映像信号を選択して合成することによって、左眼用のサブ多画面分割表示信号ｓＬＫｍｉｘを生成する。また、サブ多画面分割表示信号生成部１９１は、右眼用キー調整用信号key１、右眼用キー調整用信号key２、右眼用キー調整用信号key３、及び、右眼用キー調整用信号key４の映像信号を選択して合成することによって、右眼用のサブ多画面分割表示信号ｓＲＫｍｉｘを生成する。
【０２０５】
このようにして３次元効果処理部１４４により生成された、左眼用及び右眼用のサブ多画面分割表示信号ｓＬ４ｍｉｘ，ｓＲ４ｍｉｘ、並びに、左眼用及び右眼用のサブ多画面分割表示信号ｓＬＫｍｉｘ，ｓＲＫｍｉｘは、切換処理部１２２に再入力される。
【０２０６】
このため、第３実施形態の信号切換装置１０１においては、左眼用及び右眼用のサブ多画面分割表示信号ｓＬ４ｍｉｘ，ｓＲ４ｍｉｘ、並びに、左眼用及び右眼用のサブ多画面分割表示信号ｓＬＫｍｉｘ，ｓＲＫｍｉｘの集合体が、多画面分割表示生成用映像信号群になる。このような多画面分割表示生成用映像信号群は、切換処理部１２２から出力されて、出力部１２４に入力される。
【０２０７】
出力部１２４のメイン多画面分割表示信号生成部２０２は、多画面分割表示生成用映像信号群の全てを選択して合成する。すなわち、左眼用及び右眼用のサブ多画面分割表示信号ｓＬｍｉｘ，ｓＲｍｉｘ、並びに、左眼用及び右眼用のサブ多画面分割表示信号ｓＬＫｍｉｘ，ｓＲＫｍｉｘの全てが選択して合成される。その結果、図１５に示される多画面分割表示信号ｓ３Ｄｍｉｘが生成されて、出力信号変換部１２５−２に出力される。
【０２０８】
出力信号変換部１２５−２は、メイン多画面分割表示信号生成部２０２から出力された多画面分割表示信号ｓ３Ｄｍｉｘを、機器内信号の形態から表示装置等に適した形態に変換する。具体的には本実施形態では、多画面分割表示信号は、差動信号からSDI信号の形態に変換され、出力信号として図示せぬ表示装置等に出力される。これにより、図１５に示されるように、表示装置等の画面の左半分には、左眼用の８種類の各種映像が各子画面に分割表示される一方、表示装置等の画面の右半分には、右眼用の８種類の各種映像が各子画面に分割表示される。
【０２０９】
なお、上述した第１乃至第３実施形態で、サブ多画面分割表示信号の選択のもとになる映像信号は、サブ多画面分割表示信号生成部が配置されるそれぞれの構成要素に入力された複数の映像信号、及び、それぞれの構成要素が信号処理を施している途中に生成される中間生成信号であれば足りる。つまり第１乃至第３実施形態であげた映像信号は例示にすぎない。
【０２１０】
なお、上述した第１乃至第３実施形態では、サブ多画面分割表示信号生成部は、１の信号切換装置に対して複数設けられたが、特にこれに限定されない。例えば、１の信号切換装置に対して１のサブ多画面分割表示信号生成部を設けるようにしてもよい。また、上述した第１乃至第３実施形態では、ミックスエフェクト処理部は、１の信号切換装置に対して複数設けられたが、特にこれに限定されない。例えば、１の信号切換装置に対して１のミックスエフェクト処理部を設けるようにしてもよい。
【０２１１】
本発明は、ミックスエフェクト処理部を備えた信号処理装置に適用することができる。
【符号の説明】
【０２１２】
１０１  信号切換装置，  １２１  入力信号変換部，  １２２  切換処理部，  １２３  信号処理部，  １２４  出力部，  １２５−１，１２５−２  出力信号変換部，  １４１−１乃至１４１−４  ミックスエフェクト処理部，  １４２  フレームメモリ，  １４３  特殊効果処理部，  １４４  ３次元効果処理部，  １６１  合成処理部，  １６２  ワイプ切換信号生成部，  １６３  キー調整部，  １６４，１７１，１８１，１９１  サブ多画面分割表示信号生成部，  ２０１  出力処理部，  ２０２  メイン多画面分割表示信号生成部，  ２２１−１乃至２２１−８  キー調整用信号生成部
【図１】
2012049848.tif 000003
【図２】
2012049848.tif 000004
【図３】
2012049848.tif 000005
【図４】
2012049848.tif 000006
【図５】
2012049848.tif 000007
【図６】
2012049848.tif 000008
【図７】
2012049848.tif 000009
【図８】
2012049848.tif 000010
【図９】
2012049848.tif 000011
【図１０】
2012049848.tif 000012
【図１１】
2012049848.tif 000013
【図１２】
2012049848.tif 000014
【図１３】
2012049848.tif 000015
【図１４】
2012049848.tif 000016
【図１５】
2012049848.tif 000017